(57)【要約】【課題】開閉扉の開放度合い（開き具合）に拘らず、消費電力の低減と収納庫内の温度保持との両立を図ることが可能な冷凍車を提供する。【解決手段】この冷凍車１００は、冷凍庫２０の同一の開口部２０ｂに設けられ、第１扉２４ａおよび第２扉２４ｂを含む開閉扉２４と、第１扉２４ａに対応する位置に設けられ、冷凍庫２０の内部の第１扉２４ａ近傍に空気を吹き出す第１エアカーテン装置４０ａと、第２扉２４ｂに対応する位置に設けられ、冷凍庫２０の内部の第２扉２４ｂ近傍に空気を吹き出す第２エアカーテン装置４０ｂと、第１扉２４ａおよび第２扉２４ｂのうちの一方が開放された場合に、第１扉２４ａおよび第２扉２４ｂのうちの開放された側に対応する、第１エアカーテン装置４０ａまたは第２エアカーテン装置４０ｂの一方を作動させる制御を行う冷凍庫側制御部５１と、を備える。【選択図】図４
2014081128.tif 000002
【特許請求の範囲】
【請求項１】
車両に設けられた収納庫と、
前記収納庫の内部を冷却する冷却ユニットと、
前記収納庫の同一の開口部に設けられ、少なくとも第１開閉扉および第２開閉扉を含む開閉扉と、
前記第１開閉扉に対応する位置に設けられ、前記収納庫の内部の前記第１開閉扉近傍に空気を吹き出す第１エアカーテン発生部と、
前記第２開閉扉に対応する位置に設けられ、前記収納庫の内部の前記第２開閉扉近傍に空気を吹き出す第２エアカーテン発生部と、
前記第１開閉扉および前記第２開閉扉のうちの一方が開放された場合に、前記第１開閉扉および前記第２開閉扉のうちの開放された側に対応する、前記第１エアカーテン発生部または前記第２エアカーテン発生部の一方を作動させる制御を行う制御手段と、を備えた、冷凍車。
【請求項２】
前記第１開閉扉および前記第２開閉扉は、前記収納庫の後部に位置する前記同一の開口部に設けられ、左右に開く両開き式の開閉扉であり、
前記制御手段は、前記両開き式の前記第１開閉扉および前記第２開閉扉のうちの一方が開放された場合に、前記第１開閉扉および前記第２開閉扉のうちの開放された側に対応する、前記第１エアカーテン発生部または前記第２エアカーテン発生部の一方を作動させる制御を行うように構成されている、請求項１に記載の冷凍車。
【請求項３】
前記第１開閉扉が開放されたことを検知する第１扉開放検知部と、
前記第２開閉扉が開放されたことを検知する第２扉開放検知部とをさらに備え、
前記制御手段は、前記第１扉開放検知部および前記第２扉開放検知部の検知結果に基づいて、前記第１開閉扉および前記第２開閉扉のうちの一方が開放されたと判断した場合に、前記第１開閉扉および前記第２開閉扉のうちの開放された側に対応する、前記第１エアカーテン発生部または前記第２エアカーテン発生部の一方を作動させる制御を行うように構成されている、請求項１または２に記載の冷凍車。
【請求項４】
外気温を検知する外気温センサをさらに備え、
前記制御手段は、前記第１開閉扉および前記第２開閉扉のうちの一方が開放された場合に、前記外気温センサにより検知された外気温に応じて、前記第１開閉扉および前記第２開閉扉のうちの開放された側に対応する前記第１エアカーテン発生部または前記第２エアカーテン発生部の一方を作動させるか、または、前記第１エアカーテン発生部および前記第２エアカーテン発生部の両方を作動させるかを切り替える制御を行うように構成されている、請求項１〜３のいずれか1項に記載の冷凍車。
【請求項５】
前記制御手段は、前記第１開閉扉および前記第２開閉扉のうちの一方が開放された場合に、前記外気温センサにより検知された外気温がしきい値温度以下の場合には、前記第１開閉扉および前記第２開閉扉のうちの開放された側に対応する前記第１エアカーテン発生部または前記第２エアカーテン発生部の一方を作動させ、前記外気温センサにより検知された外気温が前記しきい値温度を超える場合には、前記第１エアカーテン発生部および前記第２エアカーテン発生部の両方を作動させる制御を行うように構成されている、請求項４に記載の冷凍車。
【請求項６】
前記制御手段は、前記第１開閉扉および前記第２開閉扉のうちの一方が開放された場合に、前記外気温センサにより検知された外気温と前記収納庫内の温度との温度差がしきい値温度差以下の場合には、前記第１開閉扉および前記第２開閉扉のうちの開放された側に対応する前記第１エアカーテン発生部または前記第２エアカーテン発生部の一方を作動させ、前記外気温センサにより検知された外気温と前記収納庫内の温度との前記温度差が前記しきい値温度差を超える場合には、前記第１エアカーテン発生部および前記第２エアカーテン発生部の両方を作動させる制御を行うように構成されている、請求項４に記載の冷凍車。
【請求項７】
前記制御手段は、前記第１エアカーテン発生部または前記第２エアカーテン発生部の一方を作動させる場合、および、前記第１エアカーテン発生部および前記第２エアカーテン発生部の両方を作動させる場合に、それぞれ、外気温に応じて、前記第１エアカーテン発生部または前記第２エアカーテン発生部の一方の風速、および、前記第１エアカーテン発生部および前記第２エアカーテン発生部の両方の風速を変更する制御を行うように構成されている、請求項４〜６のいずれか１項に記載の冷凍車。
【請求項８】
前記制御手段は、前記第１エアカーテン発生部および前記第２エアカーテン発生部の両方を作動させる際に、前記第１開閉扉および前記第２開閉扉のうちの開放された側に対応する、前記第１エアカーテン発生部または前記第２エアカーテン発生部の一方の風速よりも、開放された側に対応しない、前記第１エアカーテン発生部または前記第２エアカーテン発生部の他方の風速を小さくする制御を行うように構成されている、請求項４〜６のいずれか１項に記載の冷凍車。
【発明の詳細な説明】
【技術分野】
【０００１】
この発明は、冷凍車に関し、特に、エアカーテン発生部を備えた冷凍車に関する。
【背景技術】
【０００２】
従来、エアカーテン発生部を備えた冷凍車が知られている（たとえば、特許文献１参照）。
【０００３】
上記特許文献１には、内部の温度調節が可能な荷室と、荷室の開口の一方側面側および他方側面側にそれぞれ取り付けられた第１ドアおよび第２ドアからなる両開き式のバックドアと、荷室の開口に空気を吹き出してエアカーテンを形成するエアカーテン装置と、第１ドアの開放度合い（開き具合）を検知するためのエアカーテン用検知装置と、第１ドアが半ドア位置にある際に第１ドアと開口縁部との隙間および第１ドアと第２ドアとの隙間を塞ぐエアダム（隙間塞ぎ機構）とを備える貨物車両（冷凍車）が開示されている。この特許文献１に記載の貨物車両では、エアカーテン装置は、荷室の幅方向の略全体に亘って設けられている。
【０００４】
そして、この貨物車両では、第１ドアが半ドア位置よりも閉じていることがエアカーテン用検知装置により検知された場合には、エアカーテン装置を作動させずに上記エアダム（隙間塞ぎ機構）により第１ドアと開口縁部との隙間および第１ドアと第２ドアとの隙間を共に塞ぎ、第１ドアが半ドア位置よりも大きく開放されていることがエアカーテン用検知装置により検知された場合には、エアカーテン装置が作動されて、エアカーテンが形成されるように構成されている。これにより、第１ドアが半ドア位置よりも閉じている場合には、エアカーテン装置を作動させない分、消費電力を低減することが可能で、かつ、エアダムにより内気の外部への漏れ（荷室内への外気の侵入）を防止して荷室内部の温度保持を図ることが可能となる。
【先行技術文献】
【特許文献】
【０００５】
【特許文献１】特開２００２−２１１３０６号公報
【発明の概要】
【発明が解決しようとする課題】
【０００６】
しかしながら、上記特許文献１に記載された貨物車両では、第１ドアが半ドア位置よりも大きく開放されている場合には、エアカーテン装置が作動されてエアカーテンが形成されるので、その分、消費電力が増加するという不都合がある。つまり、上記特許文献１では、第１ドアの開放度合い（開き具合）によっては、消費電力が増加するため、消費電力の低減と荷室内部の温度保持との両立を図ることが困難であるという問題点がある。
【０００７】
この発明は、上記のような課題を解決するためになされたものであり、この発明の１つの目的は、開閉扉の開放度合い（開き具合）に拘らず、消費電力の低減と収納庫内の温度保持との両立を図ることが可能な冷凍車を提供することである。
【課題を解決するための手段】
【０００８】
この発明の一の局面による冷凍車は、車両に設けられた収納庫と、収納庫の内部を冷却する冷却ユニットと、収納庫の同一の開口部に設けられ、少なくとも第１開閉扉および第２開閉扉を含む開閉扉と、第１開閉扉に対応する位置に設けられ、収納庫の内部の第１開閉扉近傍に空気を吹き出す第１エアカーテン発生部と、第２開閉扉に対応する位置に設けられ、収納庫の内部の第２開閉扉近傍に空気を吹き出す第２エアカーテン発生部と、第１開閉扉および第２開閉扉のうちの一方が開放された場合に、第１開閉扉および第２開閉扉のうちの開放された側に対応する、第１エアカーテン発生部または第２エアカーテン発生部の一方を作動させる制御を行う制御手段と、を備える。なお、本発明における「冷凍」とは、収納庫内を０℃以下に冷却（冷凍）する場合のみならず、収納庫内を０℃よりも若干高い低温の温度域に冷却（冷蔵）する場合も含む広い概念である。
【０００９】
この発明の一の局面による冷凍車では、上記のように、制御手段により、第１開閉扉および第２開閉扉のうちの一方が開放された場合に、第１開閉扉および第２開閉扉のうちの開放された側に対応する、第１エアカーテン発生部または第２エアカーテン発生部の一方を作動させる制御を行うことにより、第１開閉扉および第２開閉扉のうちの一方が開放された際に、開放されている側の開閉扉に対応する開口部の領域のみにエアカーテンが形成される。これにより、開閉扉の開放度合い（開き具合）に拘らず全ての開放度合いにおいて、開放されている側の開閉扉に対応する開口部からの収納庫内への外気の侵入を抑制することができ、かつ、開放されていない側の開閉扉に対応するエアカーテン発生部を作動させないことにより消費電力を低減することができる。その結果、開閉扉の開放度合いに拘らず、消費電力の低減と収納庫内の温度保持との両立を図ることができる。
【００１０】
上記一の局面による冷凍車において、好ましくは、第１開閉扉および第２開閉扉は、収納庫の後部に位置する同一の開口部に設けられ、左右に開く両開き式の開閉扉であり、制御手段は、両開き式の第１開閉扉および第２開閉扉のうちの一方が開放された場合に、第１開閉扉および第２開閉扉のうちの開放された側に対応する、第１エアカーテン発生部または第２エアカーテン発生部の一方を作動させる制御を行うように構成されている。このように構成すれば、第１開閉扉および第２開閉扉が同一の開口部に設けられた左右に開く両開き式の開閉扉である場合において、開閉扉の開放度合いに拘らず、消費電力の低減と収納庫内の温度保持との両立を図ることができる。
【００１１】
上記一の局面による冷凍車において、好ましくは、第１開閉扉が開放されたことを検知する第１扉開放検知部と、第２開閉扉が開放されたことを検知する第２扉開放検知部とをさらに備え、制御手段は、第１扉開放検知部および第２扉開放検知部の検知結果に基づいて、第１開閉扉および第２開閉扉のうちの一方が開放されたと判断した場合に、第１開閉扉および第２開閉扉のうちの開放された側に対応する、第１エアカーテン発生部または第２エアカーテン発生部の一方を作動させる制御を行うように構成されている。このように構成すれば、第１扉開放検知部および第２扉開放検知部の検知結果により、容易に、第１開閉扉および第２開閉扉のうちの一方が開放されたことを検知することができるので、開放された側の開閉扉に対応する、第１エアカーテン発生部または第２エアカーテン発生部の一方を容易に作動させることができる。
【００１２】
上記一の局面による冷凍車において、好ましくは、外気温を検知する外気温センサをさらに備え、制御手段は、第１開閉扉および第２開閉扉のうちの一方が開放された場合に、外気温センサにより検知された外気温に応じて、第１開閉扉および第２開閉扉のうちの開放された側に対応する第１エアカーテン発生部または第２エアカーテン発生部の一方を作動させるか、または、第１エアカーテン発生部および第２エアカーテン発生部の両方を作動させるかを切り替える制御を行うように構成されている。このように構成すれば、外気温が比較的高い場合には、開放された側の開閉扉に対応するエアカーテン発生部だけでなく開放されていない側の開閉扉に対応するエアカーテン発生部も作動させることによって、収納庫内への外気の侵入を確実に抑制することができるので、収納庫内の温度を確実に保持することができる。また、外気温が比較的低い場合には、開放されている側の開閉扉に対応するエアカーテン発生部を作動させて収納庫内への外気の侵入を抑制しつつ、開放されていない側の開閉扉に対応するエアカーテン発生部を作動させないことによって、消費電力を低減することができるので、開閉扉の開放度合いに拘らず、消費電力の低減と収納庫内の温度保持との両立を図ることができる。
【００１３】
この場合、好ましくは、制御手段は、第１開閉扉および第２開閉扉のうちの一方が開放された場合に、外気温センサにより検知された外気温がしきい値温度以下の場合には、第１開閉扉および第２開閉扉のうちの開放された側に対応する第１エアカーテン発生部または第２エアカーテン発生部の一方を作動させ、外気温センサにより検知された外気温がしきい値温度を超える場合には、第１エアカーテン発生部および第２エアカーテン発生部の両方を作動させる制御を行うように構成されている。このように構成すれば、しきい値温度に基づいて、開放された側の開閉扉に対応するエアカーテン発生部のみを作動させるか、または、第１エアカーテン発生部および第２エアカーテン発生部の両方を作動させるかを制御手段により容易に判断することができる。
【００１４】
上記外気温に応じて一方を作動させるかまたは両方を作動させるかを切り替える構成において、好ましくは、制御手段は、第１開閉扉および第２開閉扉のうちの一方が開放された場合に、外気温センサにより検知された外気温と収納庫内の温度との温度差がしきい値温度差以下の場合には、第１開閉扉および第２開閉扉のうちの開放された側に対応する第１エアカーテン発生部または第２エアカーテン発生部の一方を作動させ、外気温センサにより検知された外気温と収納庫内の温度との温度差がしきい値温度差を超える場合には、第１エアカーテン発生部および第２エアカーテン発生部の両方を作動させる制御を行うように構成されている。ここで、外気温が比較的高い場合であっても、外気温と収納庫内の温度との温度差が小さく、開放されている側の開閉扉に対応するエアカーテン発生部を作動させるだけで収納庫内の温度を保持するのに十分な場合があり、この場合には、開放されていない側の開閉扉に対応するエアカーテン発生部を作動させる必要がない。このような場合に、本発明のように、外気温と収納庫内の温度との温度差を考慮して開放されている側の開閉扉に対応する一方のエアカーテン発生部のみを作動させるかまたは両方のエアカーテン発生部を作動させるかの判断を行うようにすれば、開放されていない側の開閉扉に対応するエアカーテン発生部を作動させないようにすることができるので、外気温のみを考慮する場合に比べて、エアカーテン発生部の一方を作動させるかまたは両方を作動させるかについての制御手段による判断をより的確に行うことができる。
【００１５】
上記第１開閉扉または第２開閉扉の一方のみが開放された場合に外気温に応じて一方を作動させるかまたは両方を作動させるかを切り替える構成において、好ましくは、制御手段は、第１エアカーテン発生部または第２エアカーテン発生部の一方を作動させる場合、および、第１エアカーテン発生部および第２エアカーテン発生部の両方を作動させる場合に、それぞれ、外気温に応じて、第１エアカーテン発生部または第２エアカーテン発生部の一方の風速、および、第１エアカーテン発生部および第２エアカーテン発生部の両方の風速を変更する制御を行うように構成されている。このように構成すれば、たとえば、外気温が比較的低い場合に風速を通常よりも小さくすることにより、消費電力をより低減することができる。
【００１６】
上記第１開閉扉または第２開閉扉の一方のみが開放された場合に外気温に応じて一方を作動させるかまたは両方を作動させるかを切り替える構成において、好ましくは、制御手段は、第１エアカーテン発生部および第２エアカーテン発生部の両方を作動させる際に、第１開閉扉および第２開閉扉のうちの開放された側に対応する、第１エアカーテン発生部または第２エアカーテン発生部の一方の風速よりも、開放された側に対応しない、第１エアカーテン発生部または第２エアカーテン発生部の他方の風速を小さくする制御を行うように構成されている。このように構成すれば、第１エアカーテン発生部および第２エアカーテン発生部の両方を作動させる場合において、両方の作動により収納庫内への外気の侵入を効果的に抑制しながら、開放されていない側の開閉扉に対応するエアカーテン発生部の風速を小さくすることにより消費電力の増加を抑制することができる。
【発明の効果】
【００１７】
本発明によれば、上記のように、開閉扉の開放度合い（開き具合）に拘らず、消費電力の低減と収納庫内の温度保持との両立を図ることができる。
【図面の簡単な説明】
【００１８】
【図１】本発明の第１実施形態による冷凍車の概略的な全体構成を示した図である。
【図２】本発明の第１実施形態による冷凍車における冷凍庫の開閉扉の構成を示した図である。
【図３】本発明の第１実施形態による冷凍車の制御ブロック図である。
【図４】本発明の第１実施形態による冷凍車の開閉扉の一方が開放されている状態を示した斜視図である。
【図５】本発明の第１実施形態による冷凍車におけるエアカーテン装置の動作に関する冷凍庫側制御部の制御フローを示した図である。
【図６】本発明の第２実施形態による冷凍車におけるエアカーテン装置の動作に関する冷凍庫側制御部の制御フローを示した図である。
【図７】本発明の第２実施形態の第１変形例による冷凍車におけるエアカーテン装置の動作に関する冷凍庫側制御部の制御フローを示した図である。
【図８】本発明の第２実施形態の第２変形例による冷凍車におけるエアカーテン装置の動作に関する冷凍庫側制御部の制御フローを示した図である。
【図９】本発明の第３実施形態による冷凍車におけるエアカーテン装置の動作に関する冷凍庫側制御部の制御フローを示した図である。
【図１０】本発明の第３実施形態の変形例による冷凍車におけるエアカーテン装置の動作に関する冷凍庫側制御部の制御フローを示した図である。
【図１１】本発明の各実施形態の変形例による冷凍車における冷凍庫の開閉扉の構成を示した図である。
【発明を実施するための形態】
【００１９】
以下、本発明の実施形態を図面に基づいて説明する。
【００２０】
（第１実施形態）
まず、図１〜図４を参照して、本発明の第１実施形態による冷凍車１００の構成について説明する。第１実施形態による冷凍車１００は、たとえば、輸送時に−２０℃前後での低温維持が必要な冷凍食品を搬送する場合と、約−５℃〜０℃の範囲での温度管理が必要な生鮮（チルド）食品を搬送する場合と、＋５℃前後での温度管理を必要とする乳飲料を含む冷蔵食品を搬送する場合とを切り換え可能な商用車両である。
【００２１】
本発明の第１実施形態による冷凍車１００は、図１に示すように、車両本体１０と、冷凍庫（冷凍冷蔵室）２０と、冷凍庫２０の内部を所望の温度に冷却する冷却ユニット３０と、冷凍庫２０の内部に設置された一対の第１エアカーテン装置４０ａおよび第２エアカーテン装置４０ｂとを備えている。なお、車両本体１０は、本発明の「車両」の一例であり、冷凍庫２０は、本発明の「収納庫」の一例である。また、第１エアカーテン装置４０ａおよび第２エアカーテン装置４０ｂは、それぞれ、本発明の「第１エアカーテン発生部」および「第２エアカーテン発生部」の一例である。
【００２２】
車両本体１０は、前後方向（Ｘ方向）に延びるシャーシ１１を備えており、シャーシ１１の前方側（Ｘ１側）に走行用のエンジン１２（破線で示す）が取り付けられるとともに、エンジン１２を覆うようにして運転室１３が設けられている。また、車両本体１０には、鉛蓄電池型のバッテリー１４がシャーシ１１のＸ方向略中央部の側方（Ｙ１側）に載置されている。バッテリー１４の電力は、エンジン１２の始動時に図示しないスターター（セルモータ）に供給されるとともに、第１エアカーテン装置４０ａおよび第２エアカーテン装置４０ｂの運転時にそれぞれ送風機４２ａおよび４２ｂに供給される。
【００２３】
また、図１に示すように、冷凍庫２０は、運転室１３よりも後方（Ｘ２側）のシャーシ１１上に取り付けられている。また、冷凍車１００の車両本体１０には、第１エアカーテン装置４０ａおよび第２エアカーテン装置４０ｂの動作制御を行うための制御ボックス５０が設置されている。この制御ボックス５０は、車両本体１０側のエンジン１２を制御する車体側制御部（ＥＣＵ）１２ａとは別体で構成された制御機器として車両本体１０に設置されている。
【００２４】
冷凍庫２０は、図１および図４に示すように、路面１（図１参照）と略垂直な側壁部２１と、路面１と略平行な床部２２および天井部２３と、外側に向けて車幅方向（Ｙ方向、左右）に開閉可能な両開き式の開閉扉２４とによって構成されている。側壁部２１、床部２２、天井部２３および開閉扉２４には、断熱機能を有する部材が使用されており、各々の部材が金属製の枠体部（フレーム）２０ａ（図４参照）に組み付けられることにより、概略箱型の冷凍庫２０が形成されている。また、車幅方向（Ｙ方向）の両側に位置する一対の側壁部２１、床部２２および天井部２３により、冷凍庫２０の後部に開口部２０ｂが形成されており、この開口部２０ｂを封鎖するように開閉扉２４が配置されている。また、開閉扉２４が閉じられることにより、冷凍庫２０内への外気の侵入および内気（冷気）の外部への漏れが防止されるように構成されている。
【００２５】
また、図２に示すように、冷凍車１００を後部側（Ｘ２側）から見た場合、左右に開く両開き式の開閉扉２４は、第１扉２４ａと第２扉２４ｂとによって構成されている。また、第１扉２４ａは、開口部２０ｂのうちのＹ１側の開口領域２０ｃに設けられており、第２扉２４ｂは、開口部２０ｂのうちのＹ２側の開口領域２０ｄに設けられている。つまり、第１扉２４ａおよび第２扉２４ｂは、同一の開口部２０ｂに設けられている。なお、第１扉２４ａおよび第２扉２４ｂは、それぞれ、本発明の「第１開閉扉」および「第２開閉扉」の一例である。
【００２６】
また、図４に示すように、第１扉２４ａは冷凍庫２０の車幅方向（Ｙ方向）の略中央部から左側（Ｙ１側）に開かれて開放状態になるとともに、第２扉２４ｂは右側（Ｙ２側）に開かれて開放状態になるように構成されている。なお、図４においては、第１扉２４ａおよび第２扉２４ｂの両方が開放された場合に冷凍庫２０の後部に形成される開口部２０ｂのうち、第１扉２４ａのみが左側に開かれて開口領域２０ｃのみが形成されている状態を示している。
【００２７】
また、第１扉２４ａおよび第２扉２４ｂは、それぞれ、各々に３箇所ずつ蝶番２４ｃおよび２４ｄを有しており、蝶番２４ｃおよび２４ｄは、開閉扉２４と直交する左右（Ｙ１側およびＹ２側）の側壁部２１にそれぞれ固定されている。そして、冷凍車１００が所定の場所に停車（駐車）された状態でドライバー（荷役作業者、図示せず）が開閉扉２４のうち、第１扉２４ａおよび第２扉２４ｂの少なくとも一方を開く（図４では第１扉２４ａが開かれている）ことによって、開放状態の第１扉２４ａに対応する開口部２０ｂの開口領域２０ｃ、および、開放状態の第２扉２４ｂに対応する開口部２０ｂの開口領域２０ｄから、冷凍庫２０への冷凍食品などの物品の積み込み作業および冷凍庫２０からの荷下ろし作業が行えるように構成されている。
【００２８】
また、第１扉２４ａおよび第２扉２４ｂは、それぞれ、第１扉２４ａおよび第２扉２４ｂの閉鎖状態を保持するための開閉扉ロック機構部２５を有している。この開閉扉ロック機構部２５は、第１扉２４ａおよび第２扉２４ｂの外表面に沿って上下方向（Ｚ方向）に延びる１本の回動軸２６と、回動軸２６を回動させるための開閉扉用操作レバー２７と、保持金具２８とを有している。また、保持金具２８は、第１扉２４ａおよび第２扉２４ｂの外面に沿った略水平位置で開閉扉用操作レバー２７を保持することにより、第１扉２４ａおよび第２扉２４ｂの閉鎖状態を保持するように構成されている。
【００２９】
また、図１に示すように、冷凍庫２０の天井部２３の内面には、冷凍庫２０内の空気温度（庫内温度）を検出する冷凍庫内温度センサ７１が取り付けられている。また、図１および図４に示すように、冷凍庫２０の第１扉２４ａ近傍における床部２２（図４参照）とＹ１側の側壁部２１とのコーナー部の内面には、第１扉２４ａの開閉状態を検知する第１扉開閉検知センサ７２ａが設置されている。また、冷凍庫２０の第２扉２４ｂ近傍における床部２２とＹ２側の側壁部２１とのコーナー部の内面には、第２扉２４ｂの開閉状態を検知する第２扉開閉検知センサ７２ｂが設置されている。なお、第１扉開閉検知センサ７２ａおよび第２扉開閉検知センサ７２ｂは、それぞれ、本発明の「第１扉開閉検知部」および「第２扉開閉検知部」の一例である。
【００３０】
第１扉開閉検知センサ７２ａおよび第２扉開閉検知センサ７２ｂは、それぞれ、開口部２０ｂ側（後部側、Ｘ２側）に突出するスイッチ部１７２ａおよび１７２ｂを有している。また、第１扉２４ａが閉鎖状態である場合、第１扉２４ａにスイッチ部１７２ａが押圧されることによって、第１扉開閉検知センサ７２ａからオフ信号が出力される一方、第１扉２４ａが開放された場合、第１扉２４ａによるスイッチ部１７２ａへの押圧が解除されて、第１扉開閉検知センサ７２ａからオン信号が出力されるように構成されている。同様に、第２扉２４ｂが閉鎖状態である場合、第２扉２４ｂにスイッチ部１７２ｂが押圧されることによって、第２扉開閉検知センサ７２ｂからオフ信号が出力される一方、第２扉２４ｂが開放された場合、第２扉２４ｂによるスイッチ部１７２ｂへの押圧が解除されて、第２扉開閉検知センサ７２ｂからオン信号が出力されるように構成されている。
【００３１】
また、冷凍庫２０の外面には、外気温を検出する外気温センサ７３が取り付けられている。この外気温センサ７３は、開口部２０ｂのＹ１側かつＺ２側の縁部近傍に対応する枠体部２０ａの部分に配置されている。また、図１に示すように、冷凍庫内温度センサ７１、第１扉開閉検知センサ７２ａ、第２扉開閉検知センサ７２ｂおよび外気温センサ７３は、後述する制御ボックス５０に電気的に接続されている。
【００３２】
また、冷却ユニット３０は、圧縮機３１と、凝縮器３２と、蒸発器３３と、これらの機能部品を接続する冷媒配管系統３４とを含んでいる。圧縮機３１は、エンジン１２の近傍に設置されており、電磁クラッチ（図示せず）を介してエンジン１２の動力により駆動される。また、凝縮器３２および蒸発器３３は、樹脂製または金属製の筐体３５内部に収納されており、筐体３５は、運転室１３の上方でかつ運転室１３とＸ方向に対向する冷凍庫２０の側壁部２１の外面に取り付けられている。また、蒸発器３３が配置された位置に対応する側壁部２１の部分には、貫通孔からなる吹出孔２１ａおよび貫通孔からなる吸込孔２１ｂが形成されている。そして、冷凍庫２０内の空気が蒸発器３３に併設された送風機３３ａによって吸込孔２１ｂから蒸発器３３側に吸い込まれるとともに、蒸発器３３で冷却された空気が吹出孔２１ａから冷凍庫２０内に吹き出されるように構成されている。また、車外の空気が凝縮器３２に併設された送風機３２ａによって前方側（Ｘ１側）から吸い込まれるとともに、凝縮器３２を冷却した空気が上方（Ｚ２方向）に吹き出されるように構成されている。
【００３３】
なお、冷却ユニット３０の機能を簡単に説明すると、圧縮機３１から吐出された冷媒ガスは、冷媒配管系統３４を流通して凝縮器３２で凝縮（液化）され、液化された冷媒が図示しない減圧装置（膨張弁）により減圧されるとともに低温にされて蒸発器３３に流通される。そして、蒸発器３３では、低温冷媒の蒸発に伴って冷凍庫２０内の空気が冷やされることにより、冷凍庫２０内が所望の温度に冷却されるように構成されている。また、車両本体１０が走行中の場合には、エンジン１２とともに圧縮機３１が駆動されることにより、冷却ユニット３０が運転されて冷凍庫２０内が所望の温度に冷却されるように構成されている。
【００３４】
ここで、第１実施形態では、図２に示すように、第１エアカーテン装置４０ａは、開口部２０ｂ近傍の天井部２３（図１参照）の内面に、一方側（Ｙ１側）の側壁部２１から冷凍庫２０の車幅方向（Ｙ方向）の略中央部までＹ方向に沿うように取り付けられている。また、第２エアカーテン装置４０ｂは、開口部２０ｂ近傍の天井部２３の内面に、他方側（Ｙ２側）の側壁部２１から冷凍庫２０のＹ方向の略中央部までＹ方向に沿うように取り付けられている。また、第１エアカーテン装置４０ａは、冷凍庫２０の内部の第１扉２４ａの近傍に冷凍庫２０内の空気を吹き出すことによって、開口部２０ｂのうちの第１扉２４ａに対応する開口領域２０ｃにエアカーテンを形成するように構成されている。同様に、第２エアカーテン装置４０ｂは、冷凍庫２０の内部の第２扉２４ｂの近傍に冷凍庫２０内の空気を吹き出すことによって、開口部２０ｂのうちの第２扉２４ｂに対応する開口領域２０ｄにエアカーテンを形成するように構成されている。
【００３５】
第１エアカーテン装置４０ａおよび第２エアカーテン装置４０ｂは、同一の構造を有している。具体的には、第１エアカーテン装置４０ａおよび第２エアカーテン装置４０ｂは、それぞれ、図１に示すように、外形形状が扁平な箱型の筐体４１ａおよび４１ｂと、筐体４１ａおよび４１ｂの内部に設置された電動式の送風機４２ａおよび４２ｂとを含んでいる。また、筐体４１ａおよび４１ｂの各々の下面４１ｃには、Ｙ方向（車幅方向）に沿って延びた吹出口４１ｄが形成されている。また、筐体４１ａおよび４１ｂの各々の側面４１ｅには、吸込口４１ｆが形成されている。そして、第１エアカーテン装置４０ａの送風機４２ａを作動させた場合、冷凍庫２０内の空気（冷気）が、第１エアカーテン装置４０ａの筐体４１ａの吸込口４１ｆから筐体４１ａ内に吸い込まれるとともに、筐体４１ａの吹出口４１ｄから下方（Ｚ１方向）に向けて吹き出されるように構成されている。同様に、第２エアカーテン装置４０ｂの送風機４２ｂを作動させた場合、冷凍庫２０内の冷気が、第２エアカーテン装置４０ｂの筐体４１ｂの吸込口４１ｆから筐体４１ｂ内に吸い込まれるとともに、筐体４１ｂの吹出口４１ｄから下方に向けて吹き出されるように構成されている。
【００３６】
これにより、冷凍車１００では、第１エアカーテン装置４０ａおよび第２エアカーテン装置４０ｂを作動させた場合、冷凍庫２０の内側における開閉扉２４近傍領域を上から下に向かって吹き下ろす気流（エアカーテン用の下降気流Ｐ）に加えて、冷凍庫２０内には冷気の循環流Ｑ（サーキュレーション）が形成されるように構成されている。このように、第１エアカーテン装置４０ａおよび第２エアカーテン装置４０ｂの両方を作動させた場合、エアカーテンだけでなく冷気の循環流Ｑ（サーキュレーション）も形成されることによって、冷凍庫２０内の冷たい内気が外部に漏れることが抑制されるとともに、外部の暖かい外気が冷凍庫２０内に侵入しにくくなる。なお、第１エアカーテン装置４０ａまたは第２エアカーテン装置４０ｂのいずれか一方のみを作動させた場合にも、作動させた側の領域において、エアカーテンだけでなく冷気の循環流Ｑ（サーキュレーション）が形成される。
【００３７】
また、冷凍車１００の制御的な構成としては、図３に示すように、制御ボックス５０は、第１エアカーテン装置４０ａの送風機４２ａおよび第２エアカーテン装置４０ｂの送風機４２ｂに制御可能に接続されている。また、制御ボックス５０には、冷凍庫内温度センサ７１、第１扉開閉検知センサ７２ａ、第２扉開閉検知センサ７２ｂおよび外気温センサ７３からの信号が個々に入力されるように構成されている。
【００３８】
また、制御ボックス５０内には、少なくとも冷凍庫側制御部（ＣＰＵ）５１と、ＲＯＭ５２と、ＲＡＭ５３とが設けられている。制御ボックス５０は、冷凍庫内温度センサ７１、第１扉開閉検知センサ７２ａ、第２扉開閉検知センサ７２ｂおよび外気温センサ７３からの入力信号に基づいて所定の判断を行い、第１エアカーテン装置４０ａおよび第２エアカーテン装置４０ｂを適切に作動させる制御を行うように構成されている。また、ＲＯＭ５２には、制御ボックス５０が実行する第１エアカーテン装置４０ａおよび第２エアカーテン装置４０ｂの運転制御プログラムなどが格納されている。ＲＡＭ５３は、第１エアカーテン装置４０ａおよび第２エアカーテン装置４０ｂの運転制御プログラムが実行される際に用いられる制御上のパラメータを一時的に保存する作業用メモリとして用いられる。なお、冷凍庫側制御部５１は、本発明の「制御手段」の一例である。
【００３９】
ここで、第１実施形態では、第１扉２４ａおよび第２扉２４ｂのうち、第１扉２４ａのみが開放状態である場合には、第１扉２４ａに対応する第１エアカーテン装置４０ａのみが作動されて、第２エアカーテン装置４０ｂは作動されないように構成されている。また、第２扉２４ｂのみが開放状態である場合には、第２扉２４ｂに対応する第２エアカーテン装置４０ｂのみが作動されて、第１エアカーテン装置４０ａは作動されないように構成されている。
【００４０】
以下、図１〜図３および図５を参照して、第１実施形態の冷凍庫側制御部５１による第１エアカーテン装置４０ａおよび第２エアカーテン装置４０ｂの制御フローの詳細について説明する。
【００４１】
図５に示すように、まず、ステップＳ１〜Ｓ３において、冷凍庫側制御部５１（図３参照）により、開閉扉２４（図２参照）の開閉状態が判断される。具体的には、ステップＳ１では、冷凍庫側制御部５１により、第１扉開閉検知センサ７２ａ（図３参照）の検知結果に基づいて、第１扉２４ａ（図２参照）が開放状態か否かが判断される。ステップＳ１において第１扉２４ａが開放状態であると判断された場合、ステップＳ２において、冷凍庫側制御部５１により、第２扉開閉検知センサ７２ｂ（図３参照）の検知結果に基づいて、第２扉２４ｂ（図２参照）が開放状態か否かが判断される。また、ステップＳ１において第１扉２４ａが開放状態でない（閉鎖状態である）と判断された場合においても、ステップＳ３において、ステップＳ２と同様に、冷凍庫側制御部５１により、第２扉開閉検知センサ７２ｂの検知結果に基づいて、第２扉２４ｂが開放状態か否かが判断される。なお、第１扉開閉検知センサ７２ａおよび第２扉開閉検知センサ７２ｂからオン信号が冷凍庫側制御部５１に入力された場合に、それぞれ、第１扉２４ａおよび第２扉２４ｂが開放状態であると判断される。
【００４２】
ステップＳ１において第１扉２４ａが開放状態であると判断され、かつ、ステップＳ２において第２扉２４ｂが開放状態であると判断された場合（第１扉２４ａと第２扉２４ｂとの両方が開放状態である場合）、ステップＳ４において、冷凍庫側制御部５１により、第１扉２４ａに対応する第１エアカーテン装置４０ａ（図２参照）および第２扉２４ｂに対応する第２エアカーテン装置４０ｂ（図２参照）の両方が作動される。これにより、開口部２０ｂ（図２参照）の略全体を覆うようにエアカーテン（下降気流Ｐ）が形成されるとともに、冷気の循環流Ｑ（図１参照）が形成される。一方、ステップＳ１において第１扉２４ａが開放状態でないと判断され、かつ、ステップＳ３において第２扉２４ｂが開放状態でないと判断された場合（第１扉２４ａと第２扉２４ｂとの両方が閉鎖状態である場合）、ステップＳ５において、第１エアカーテン装置４０ａおよび第２エアカーテン装置４０ｂの両方が作動されない。この場合、開口部２０ｂにエアカーテンおよび冷気の循環流は形成されない。
【００４３】
ここで、第１実施形態では、ステップＳ１において第１扉２４ａが開放状態であると判断され、ステップＳ２において第２扉２４ｂが開放状態でない（閉鎖状態である）と判断された場合、ステップＳ６において、冷凍庫側制御部５１により、開放状態である第１扉２４ａに対応する第１エアカーテン装置４０ａのみが作動され、閉鎖状態である第２扉２４ｂに対応する第２エアカーテン装置４０ｂは作動されない。これにより、第１扉２４ａのみが開放状態である場合には、第１扉２４ａに対応する開口部２０ｂの開口領域２０ｃ（図２参照）のみにエアカーテンが形成されるとともに、冷気の循環流Ｑが形成され、第２扉２４ｂに対応する開口部２０ｂの開口領域２０ｄ（図２参照）にはエアカーテンおよび冷気の循環流は形成されない。
【００４４】
また、第１実施形態では、ステップＳ１において第１扉２４ａが開放状態でない（閉鎖状態である）と判断され、かつ、ステップＳ３において第２扉２４ｂが開放状態であると判断された場合、ステップＳ７において、冷凍庫側制御部５１により、開放状態である第２扉２４ｂに対応する第２エアカーテン装置４０ｂのみが作動され、閉鎖状態である第１扉２４ａに対応する第１エアカーテン装置４０ａは作動されない。これにより、第２扉２４ｂのみが開放状態である場合には、第２扉２４ｂに対応する開口部２０ｂの開口領域２０ｄのみにエアカーテンが形成されるとともに、冷気の循環流Ｑが形成され、第１扉２４ａに対応する開口部２０ｂの開口領域２０ｃにはエアカーテンおよび冷気の循環流は形成されない。なお、第１実施形態では、ステップＳ４〜Ｓ７の処理後、ステップＳ１からの制御処理が繰り返し実行される。
【００４５】
第１実施形態では、上記のように、冷凍庫２０の後部に位置する同一の開口部２０ｂに設けられた第１扉２４ａおよび第２扉２４ｂのうち、いずれか一方のみが開放状態である場合に、開放状態であると判断された扉に対応するエアカーテン装置のみを作動させる制御を冷凍庫側制御部５１により行うことによって、開放されている側の扉に対応する開口部２０ｂの領域のみにエアカーテンおよび冷気の循環流が形成される。これにより、開閉扉２４の開放度合い（開き具合）に拘らず全ての開放度合いにおいて、開放されている側の扉に対応する開口部２０ｂの領域からの冷凍庫２０内への外気の侵入を抑制することができ、かつ、開放されていない側の扉に対応するエアカーテン装置を作動させないことにより消費電力を低減することができる。その結果、開閉扉２４の開放度合いに拘らず、消費電力の低減と冷凍庫２０内の温度保持との両立を図ることができる。
【００４６】
また、第１実施形態では、第１扉開閉検知センサ７２ａおよび第２扉開閉検知センサ７２ｂの検知結果に基づいて、冷凍庫側制御部５１により、第１扉２４ａおよび第２扉２４ｂのうち、いずれか一方のみが開放状態であると判断された場合に、開放状態であると判断された扉に対応するエアカーテン装置のみを作動させるように制御を行うことによって、第１扉開閉検知センサ７２ａおよび第２扉開閉検知センサ７２ｂの検知結果により、容易に、第１扉２４ａおよび第２扉２４ｂのうちの一方が開放されたことを検知することができるので、開放された側の扉に対応するエアカーテン装置を容易に作動させることができる。
【００４７】
（第２実施形態）
次に、図２、図３および図６を参照して、第２実施形態について説明する。この第２実施形態では、扉の開閉状態のみに基づいて第１エアカーテン装置４０ａおよび第２エアカーテン装置４０ｂの作動制御を行う上記第１実施形態とは異なり、扉の開閉状態に加えて、外気温にも基づいて、第１エアカーテン装置４０ａおよび第２エアカーテン装置４０ｂの作動制御を行う例について説明する。
【００４８】
第２実施形態では、上記第１実施形態と同様に、第１扉２４ａおよび第２扉２４ｂ（図２参照）の両方が開放状態である場合、冷凍庫側制御部５１（図３参照）により、第１扉２４ａに対応する第１エアカーテン装置４０ａ（図２参照）および第２扉２４ｂに対応する第２エアカーテン装置４０ｂ（図２参照）の両方が作動されるように構成されている。また、第１扉２４ａおよび第２扉２４ｂの両方が閉鎖状態である場合、第１エアカーテン装置４０ａおよび第２エアカーテン装置４０ｂの両方が作動されないように構成されている。
【００４９】
ここで、第２実施形態では、冷凍庫側制御部５１により、第１扉２４ａおよび第２扉２４ｂのうち、一方のみが開放状態であると判断された場合、外気温センサ７３（図３参照）により検知された外気温に応じて、開放状態である扉に対応するエアカーテン装置のみを作動させるか、または、第１エアカーテン装置４０ａおよび第２エアカーテン装置４０ｂの両方を作動させるかを切り替える制御が行われる。
【００５０】
具体的には、外気温がしきい値温度Ｔ１より大きい場合には、第１エアカーテン装置４０ａおよび第２エアカーテン装置４０ｂの両方を作動させ、外気温がＴ１以下の場合には、開放状態である扉に対応するエアカーテン装置のみを作動させるように構成されている。これにより、一方の扉のみが開放状態であっても、外気温が比較的高く、冷凍庫２０内への外気の侵入に起因して庫内温度が上昇しやすい場合には、第１エアカーテン装置４０ａおよび第２エアカーテン装置４０ｂの両方を作動させてより冷凍庫２０内への外気の侵入を抑制することが可能であるとともに、外気温が比較的低く、冷凍庫２０内への外気の侵入に起因する庫内温度の上昇が小さい場合には、開放されていない側の扉に対応するエアカーテン装置を作動させないことにより消費電力を低減することが可能である。なお、第２実施形態のその他の構成は上記第１実施形態の構成と同一であるため、その説明を省略する。
【００５１】
次に、図２、図３および図６を参照して、第２実施形態の冷凍庫側制御部５１による第１エアカーテン装置４０ａおよび第２エアカーテン装置４０ｂの制御フローについて説明する。
【００５２】
図６に示すように、まず、上記第１実施形態のステップＳ１〜Ｓ３と同様に、それぞれ、ステップＳ１１〜Ｓ１３において、冷凍庫側制御部５１（図３参照）により、開閉扉２４（図２参照）の開閉状態が判断される。
【００５３】
ステップＳ１１において第１扉２４ａ（図２参照）が開放状態であると判断され、かつ、ステップＳ１２において第２扉２４ｂ（図２参照）が開放状態であると判断された場合（第１扉２４ａと第２扉２４ｂとの両方が開放状態である場合）、ステップＳ１４において、冷凍庫側制御部５１により、第１エアカーテン装置４０ａおよび第２エアカーテン装置４０ｂ（図２参照）の両方が作動される。一方、ステップＳ１１において第１扉２４ａが開放状態でないと判断され、かつ、ステップＳ１３において第２扉２４ｂが開放状態でないと判断された場合（第１扉２４ａと第２扉２４ｂとの両方が閉鎖状態である場合）、ステップＳ１５において、第１エアカーテン装置４０ａおよび第２エアカーテン装置４０ｂの両方が作動されない。
【００５４】
そして、ステップＳ１１において第１扉２４ａが開放状態であると判断され、ステップＳ１２において第２扉２４ｂが開放状態でない（閉鎖状態である）と判断された場合、ステップＳ１６において、冷凍庫側制御部５１により、外気温センサ７３（図３参照）により検知された外気温がしきい値温度Ｔ１よりも大きいか否かが判断される。ステップＳ１６において外気温がＴ１よりも大きいと判断された場合、ステップＳ１７において、第１扉２４ａと第２扉２４ｂとの両方が開放状態である場合と同様に、冷凍庫側制御部５１により、第１エアカーテン装置４０ａおよび第２エアカーテン装置４０ｂの両方が作動される。一方、ステップＳ１６において外気温がＴ１以下であると判断された場合、ステップＳ１８において、冷凍庫側制御部５１により、開放状態である第１扉２４ａに対応する第１エアカーテン装置４０ａのみが作動され、閉鎖状態である第２扉２４ｂに対応する第２エアカーテン装置４０ｂは作動されない。
【００５５】
また、ステップＳ１１において第１扉２４ａが開放状態でない（閉鎖状態である）と判断され、ステップＳ１３において第２扉２４ｂが開放状態であると判断された場合、ステップＳ１９において、冷凍庫側制御部５１により、外気温がＴ１よりも大きいか否かが判断される。ステップＳ１９において外気温がＴ１よりも大きいと判断された場合、ステップＳ２０において、第１扉２４ａと第２扉２４ｂとの両方が開放状態である場合と同様に、冷凍庫側制御部５１により、第２エアカーテン装置４０ｂおよび第１エアカーテン装置４０ａの両方が作動される。一方、ステップＳ１９において外気温がＴ１以下であると判断された場合、ステップＳ２１において、冷凍庫側制御部５１により、開放状態である第２扉２４ｂに対応する第２エアカーテン装置４０ｂのみが作動され、閉鎖状態である第１扉２４ａに対応する第１エアカーテン装置４０ａは作動されない。なお、第２実施形態では、ステップＳ１４、Ｓ１５、Ｓ１７、Ｓ１８、Ｓ２０またはＳ２１の処理後、ステップＳ１１からの制御処理が繰り返し実行される。
【００５６】
第２実施形態では、上記のように、第１扉２４ａまたは第２扉２４ｂの一方のみが開放状態である場合において、冷凍庫側制御部５１により、外気温センサ７３により検知された外気温に応じて、開放状態である扉に対応するエアカーテン装置のみを作動させるか、または、第１エアカーテン装置４０ａおよび第２エアカーテン装置４０ｂの両方を作動させるかを切り替える制御を行うことによって、外気温が比較的高い（外気温＞Ｔ１）場合には、開放された側の扉に対応するエアカーテン装置だけでなく開放されていない側の扉に対応するエアカーテン装置も作動させることにより、冷凍庫２０内への外気の侵入を確実に抑制することができるので、冷凍庫２０内の温度（庫内温度）を確実に保持することができる。また、外気温が比較的低い（外気温≦Ｔ１）場合には、開放されている側の扉に対応するエアカーテン装置を作動させて冷凍庫２０内への外気の侵入を抑制しつつ、開放されていない側の扉に対応するエアカーテン装置を作動させないことによって、消費電力を低減することができるので、開閉扉２４の開放度合いに拘らず、消費電力の低減と冷凍庫２０内の温度保持との両立を図ることができる。
【００５７】
また、第２実施形態では、第１扉２４ａまたは第２扉２４ｂの一方のみが開放状態である場合において、冷凍庫側制御部５１により、外気温がしきい値温度Ｔ１より大きい場合には、第１エアカーテン装置４０ａおよび第２エアカーテン装置４０ｂの両方を作動させる一方、外気温がＴ１以下の場合には、開放状態である扉に対応するエアカーテン装置のみを作動させるように構成することによって、しきい値温度Ｔ１に基づいて、開放された側の扉に対応するエアカーテン装置のみを作動させるか、または、第１エアカーテン装置４０ａおよび第２エアカーテン装置４０ｂの両方を作動させるかを冷凍庫側制御部５１により容易に判断することができる。なお、第２実施形態のその他の効果は、上記第１実施形態と同様である。
【００５８】
（第２実施形態の第１変形例）
次に、図２、図３および図７を参照して、第２実施形態の第１変形例について説明する。この第２実施形態の第１変形例では、上記第２実施形態における外気温に代えて、外気温と庫内温度との温度差（内外温度差）に応じてエアカーテン装置の作動を切り替える例について説明する。
【００５９】
第２実施形態の第１変形例では、冷凍庫側制御部５１（図３参照）により、第１扉２４ａまたは第２扉２４ｂ（図２参照）の一方のみが開放状態であると判断された場合、外気温センサ７３（図３参照）により検知された外気温と、冷凍庫内温度センサ７１（図３参照）により検知された冷凍庫２０（図２参照）内の空気温度（庫内温度）との温度差（内外温度差）に応じて、開放状態である扉に対応するエアカーテン装置のみを作動させるか、または、第１エアカーテン装置４０ａおよび第２エアカーテン装置４０ｂ（図２参照）の両方を作動させるかを切り替える制御が行われる。
【００６０】
具体的には、第１扉２４ａまたは第２扉２４ｂの一方のみが開放状態である場合において、外気温と庫内温度との温度差（内外温度差）がしきい値温度差Δｔ１より大きい場合には、第１エアカーテン装置４０ａおよび第２エアカーテン装置４０ｂの両方を作動させ、内外温度差がΔｔ１以下の場合には、開放状態である扉に対応するエアカーテン装置のみを作動させるように構成されている。これにより、第１扉２４ａまたは第２扉２４ｂの一方のみが開放状態であっても、内外温度差が比較的大きく、冷凍庫２０内への外気の侵入に起因して庫内温度が上昇しやすい場合には、第１エアカーテン装置４０ａおよび第２エアカーテン装置４０ｂの両方を作動させてより冷凍庫２０内への外気の侵入を抑制することが可能であるとともに、内外温度差が比較的小さく、冷凍庫２０内への外気の侵入に起因する庫内温度の上昇が小さい場合には、開放されていない側の扉に対応するエアカーテン装置を作動させないことにより消費電力を低減することが可能である。なお、第２実施形態の第１変形例のその他の構成は上記第２実施形態の構成と同一であるため、その説明を省略する。
【００６１】
次に、図２、図３および図７を参照して、第２実施形態の第１変形例の冷凍庫側制御部５１による第１エアカーテン装置４０ａおよび第２エアカーテン装置４０ｂの制御フローについて説明する。
【００６２】
図７に示すように、まず、ステップＳ１１〜Ｓ１５の制御は、上記第２実施形態と同様であるので、その説明は省略する。そして、外気温がしきい値温度Ｔ１よりも大きいか否かが判断された第２実施形態のステップＳ１６およびＳ１９に代えて、この第２実施形態の第１変形例では、ステップＳ１６ａおよびＳ１９ａにおいて、冷凍庫側制御部５１（図３参照）により、外気温と庫内温度との温度差（内外温度差）がしきい値温度差Δｔ１よりも大きいか否かが判断される。すなわち、第１扉２４ａのみが開放状態である場合に、ステップＳ１６ａにおいて内外温度差がΔｔ１よりも大きいと判断されると、ステップＳ１７において、冷凍庫側制御部５１により、第１エアカーテン装置４０ａおよび第２エアカーテン装置４０ｂ（図２参照）の両方が作動される。一方、第１扉２４ａのみが開放状態である場合に、ステップＳ１６ａにおいて内外温度差がΔｔ１以下であると判断されると、ステップＳ１８において、冷凍庫側制御部５１により、開放状態である第１扉２４ａ（図３参照）に対応する第１エアカーテン装置４０ａのみが作動され、閉鎖状態である第２扉２４ｂ（図３参照）に対応する第２エアカーテン装置４０ｂは作動されない。
【００６３】
また、第２扉２４ｂのみが開放状態である場合に、ステップＳ１９ａにおいて内外温度差がΔｔ１よりも大きいと判断されると、ステップＳ２０において、冷凍庫側制御部５１により、第２エアカーテン装置４０ｂおよび第１エアカーテン装置４０ａの両方が作動される。一方、第２扉２４ｂのみが開放状態である場合に、ステップＳ１９ａにおいて内外温度差がΔｔ１以下であると判断されると、ステップＳ２１において、冷凍庫側制御部５１により、開放状態である第２扉２４ｂに対応する第２エアカーテン装置４０ｂのみが作動され、閉鎖状態である第１扉２４ａに対応する第１エアカーテン装置４０ａは作動されない。
【００６４】
第２実施形態の第１変形例では、上記のように、第１扉２４ａまたは第２扉２４ｂの一方のみが開放状態である場合において、外気温と庫内温度との温度差（内外温度差）がしきい値温度差Δｔ１より大きい場合には、第１エアカーテン装置４０ａおよび第２エアカーテン装置４０ｂの両方を作動させる一方、内外温度差がΔｔ１以下の場合には、開放状態である扉に対応するエアカーテン装置のみを作動させるように構成する。ここで、外気温が比較的高い場合であっても、外気温と冷凍庫２０の庫内温度との温度差が小さく、開放されている側の扉に対応するエアカーテン装置を作動させるだけで冷凍庫２０内の温度を保持するのに十分な場合があり、この場合には、開放されていない側の扉に対応するエアカーテン装置を作動させる必要がない。このような場合に、第２実施形態の第１変形例のように、外気温と冷凍庫２０の庫内温度との温度差を考慮して開放されている側の扉に対応する一方のエアカーテン装置のみを作動させるかまたは両方のエアカーテン装置を作動させるかの判断を行うようにすれば、開放されていない側の扉に対応するエアカーテン装置を作動させないようにすることができるので、外気温のみを考慮する第２実施形態の場合に比べて、第１エアカーテン装置４０ａおよび第２エアカーテン装置４０ｂの一方を作動させるかまたは両方を作動させるかについての冷凍庫側制御部５１による判断をより的確に行うことができる。なお、第２実施形態の第１変形例のその他の効果は、上記第２実施形態と同様である。
【００６５】
（第２実施形態の第２変形例）
次に、図１〜図３および図８を参照して、第２実施形態の第２変形例について説明する。この第２実施形態の第２変形例では、上記第２実施形態において、第１扉２４ａまたは第２扉２４ｂの一方の扉のみが開放状態の場合に第１エアカーテン装置４０ａおよび第２エアカーテン装置４０ｂの両方を作動させる際に、閉鎖状態である扉に対応するエアカーテン装置を弱風で作動させる例について説明する。
【００６６】
第２実施形態の第２変形例では、第１エアカーテン装置４０ａおよび第２エアカーテン装置４０ｂ（図２参照）の風速を、通常風と弱風との間で切替可能であるように構成されている。なお、「通常風」とは、第１エアカーテン装置４０ａおよび第２エアカーテン装置４０ｂが通常に作動された場合に吹き出される風速レベルの風のことを意味する。また、「弱風」とは、エアカーテン装置が通常に作動された場合に吹き出す通常風よりも風速が下げられた状態で吹き出される風のことを意味する。したがって、弱風が吹き出される際のエアカーテン装置の消費電力は、通常風が吹き出される際の消費電力よりも小さい。
【００６７】
また、第１扉２４ａおよび第２扉２４ｂ（図２参照）の両方が開放状態である場合、冷凍庫側制御部５１（図３参照）により、第１扉２４ａに対応する第１エアカーテン装置４０ａおよび第２扉２４ｂに対応する第２エアカーテン装置４０ｂの両方が通常風を吹き出すように作動されるように構成されている。
【００６８】
ここで、第２実施形態の第２変形例では、上記第２実施形態と同様に、第１扉２４ａまたは第２扉２４ｂの一方のみが開放状態であっても、外気温がしきい値温度Ｔ１よりも高い場合には、第１エアカーテン装置４０ａおよび第２エアカーテン装置４０ｂの両方が作動される。この際、第２変形例では、冷凍庫側制御部５１により、第１扉２４ａおよび第２扉２４ｂのうちの開放された側に対応する、第１エアカーテン装置４０ａまたは第２エアカーテン装置４０ｂの一方の風速（通常風）よりも、開放された側に対応しない、第１エアカーテン装置４０ａまたは第２エアカーテン装置４０ｂの他方の風速を小さくする（弱風にする）制御が行われるように構成されている。なお、第２実施形態の第２変形例のその他の構成は上記第２実施形態の構成と同一であるため、その説明を省略する。
【００６９】
次に、図１〜図３および図８を参照して、第２実施形態の第２変形例の冷凍庫側制御部５１による第１エアカーテン装置４０ａおよび第２エアカーテン装置４０ｂの制御フローについて説明する。
【００７０】
図８に示すように、まず、ステップＳ１１〜Ｓ１３において、冷凍庫側制御部５１（図３参照）により、開閉扉２４（図２参照）の開閉状態が判断される。
【００７１】
ステップＳ１１において第１扉２４ａ（図２参照）が開放状態であると判断され、かつ、ステップＳ１２において第２扉２４ｂ（図２参照）が開放状態であると判断された場合（第１扉２４ａと第２扉２４ｂとの両方が開放状態である場合）、ステップＳ１４ｂにおいて、冷凍庫側制御部５１により、第１エアカーテン装置４０ａおよび第２エアカーテン装置４０ｂ（図２参照）の両方が通常風を吹き出すように作動される。一方、ステップＳ１１において第１扉２４ａが開放状態でないと判断され、かつ、ステップＳ１３において第２扉２４ｂが開放状態でないと判断された場合（第１扉２４ａと第２扉２４ｂとの両方が閉鎖状態である場合）、ステップＳ１５において、第１エアカーテン装置４０ａおよび第２エアカーテン装置４０ｂの両方が作動されない。
【００７２】
そして、ステップＳ１１において第１扉２４ａが開放状態であると判断され、ステップＳ１２において第２扉２４ｂが開放状態でない（閉鎖状態である）と判断された場合、ステップＳ１６において、冷凍庫側制御部５１により、外気温センサ７３（図３参照）からの外気温に関する信号に基づいて、外気温がしきい値温度Ｔ１よりも大きいか否かが判断される。ステップＳ１６において外気温がＴ１よりも大きいと判断された場合、ステップＳ１７ｂにおいて、冷凍庫側制御部５１により、第１エアカーテン装置４０ａおよび第２エアカーテン装置４０ｂの両方が作動される。この場合、第２実施形態の第２変形例では、冷凍庫側制御部５１により、開放状態である第１扉２４ａに対応する第１エアカーテン装置４０ａが通常風を吹き出すように作動制御される一方、閉鎖状態である第２扉２４ｂに対応する第２エアカーテン装置４０ｂが弱風を吹き出すように作動制御される。これにより、弱風を吹き出す第２エアカーテン装置４０ｂにおいて消費電力の増加が抑制された状態で、開口部２０ｂ（図２参照）の略全体を覆うようにエアカーテンが形成されるとともに、冷気の循環流Ｑ（図１参照）が形成される。
【００７３】
また、ステップＳ１６において外気温がＴ１以下であると判断された場合、ステップＳ１８ｂにおいて、冷凍庫側制御部５１により、開放状態である第１扉２４ａに対応する第１エアカーテン装置４０ａのみが通常風を吹き出すように作動制御され、閉鎖状態である第２扉２４ｂに対応する第２エアカーテン装置４０ｂは作動されない。これにより、第１扉２４ａに対応する開口部２０ｂの開口領域２０ｃ（図２参照）のみにエアカーテンが形成され、第２扉２４ｂに対応する開口部２０ｂの開口領域２０ｄ（図２参照）にはエアカーテンが形成されない。
【００７４】
また、ステップＳ１１において第１扉２４ａが開放状態でない（閉鎖状態である）と判断され、ステップＳ１３において第２扉２４ｂが開放状態であると判断された場合、ステップＳ１９において、冷凍庫側制御部５１により、外気温がＴ１よりも大きいか否かが判断される。ステップＳ１９において外気温がＴ１よりも大きいと判断された場合、ステップＳ２０ｂにおいて、冷凍庫側制御部５１により、第２エアカーテン装置４０ｂおよび第１エアカーテン装置４０ａの両方が作動される。この場合にも、冷凍庫側制御部５１により、開放状態である第２扉２４ｂに対応する第２エアカーテン装置４０ｂが通常風を吹き出すように作動制御される一方、閉鎖状態である第１扉２４ａに対応する第１エアカーテン装置４０ａが弱風を吹き出すように作動制御される。これにより、弱風を吹き出す第１エアカーテン装置４０ａにおいて消費電力の増加が抑制された状態で、開口部２０ｂの略全体を覆うようにエアカーテンが形成されるとともに、冷気の循環流Ｑが形成される。
【００７５】
また、ステップＳ１９において外気温がＴ１以下であると判断された場合、ステップＳ２１ｂにおいて、冷凍庫側制御部５１により、開放状態である第２扉２４ｂに対応する第２エアカーテン装置４０ｂのみが通常風を吹き出すように作動制御され、閉鎖状態である第１扉２４ａに対応する第１エアカーテン装置４０ａは作動されない。これにより、第２扉２４ｂに対応する開口部２０ｂの開口領域２０ｄのみにエアカーテンが形成され、第１扉２４ａに対応する開口部２０ｂの開口領域２０ｃにはエアカーテンが形成されない。なお、第２実施形態の第２変形例では、ステップＳ１４ｂ、Ｓ１５、Ｓ１７ｂ、Ｓ１８ｂ、Ｓ２０ｂまたはＳ２１ｂの処理後、ステップＳ１１からの制御処理が繰り返し実行される。
【００７６】
第２実施形態の第２変形例では、上記のように、第１扉２４ａまたは第２扉２４ｂの一方のみが開放状態である場合で、かつ、第１エアカーテン装置４０ａおよび第２エアカーテン装置４０ｂの両方を作動させる場合において、冷凍庫側制御部５１により、第１扉２４ａおよび第２扉２４ｂのうちの開放された側に対応する、第１エアカーテン装置４０ａまたは第２エアカーテン装置４０ｂの一方の風速よりも、開放された側に対応しない、第１エアカーテン装置４０ａまたは第２エアカーテン装置４０ｂの他方の風速を小さくする（弱風にする）制御を行うように構成する。これにより、第１エアカーテン装置４０ａおよび第２エアカーテン装置４０ｂの両方を作動させる場合において、両方の作動により冷凍庫２０内への外気の侵入を効果的に抑制しながら、開放されていない側の扉に対応するエアカーテン装置の風速を小さくする（弱風にする）ことにより消費電力の増加を抑制することができる。なお、第２実施形態の第２変形例のその他の効果は、上記第２実施形態と同様である。
【００７７】
（第３実施形態）
次に、図２、図３および図９を参照して、第３実施形態について説明する。この第３実施形態では、上記第２実施形態とは異なり、第１扉２４ａまたは第２扉２４ｂの一方のみが開放状態である場合において、エアカーテン装置の一方または両方を作動させる際に、外気温に基づいてエアカーテン装置の風速を変更する例について説明する。
【００７８】
この第３実施形態では、第１エアカーテン装置４０ａおよび第２エアカーテン装置４０ｂ（図２参照）から吹き出される風の風速を、通常風と弱風との間で切替可能であるように構成されている。また、第１扉２４ａおよび第２扉２４ｂ（図２参照）の両方が開放状態である場合、冷凍庫側制御部５１（図３参照）により、第１扉２４ａに対応する第１エアカーテン装置４０ａおよび第２扉２４ｂに対応する第２エアカーテン装置４０ｂの両方が通常風を吹き出すように作動されるように構成されている。また、第１扉２４ａおよび第２扉２４ｂの両方が閉鎖状態である場合、第１エアカーテン装置４０ａおよび第２エアカーテン装置４０ｂの両方が作動されないように構成されている。
【００７９】
ここで、第３実施形態では、第１扉２４ａまたは第２扉２４ｂの一方のみが開放状態である場合において、第１エアカーテン装置４０ａまたは第２エアカーテン装置４０ｂの一方のみを作動させる場合、および、第１エアカーテン装置４０ａおよび第２エアカーテン装置４０ｂの両方を作動させる場合に、それぞれ、外気温に応じて、第１エアカーテン装置４０ａまたは第２エアカーテン装置４０ｂの風速を変更する制御を行うように構成されている。具体的には、一方の扉のみが開放状態である場合において、冷凍庫側制御部５１により、外気温に応じて５段階に、第１エアカーテン装置４０ａまたは第２エアカーテン装置４０ｂの作動態様（風速）が切り替えられる。
【００８０】
すなわち、５段階の作動態様としては、外気温が最も高い場合の態様から外気温が最も低い場合の態様に向かって順に、エアカーテン装置の両方を通常風で作動させる態様、開放状態の扉に対応するエアカーテン装置を通常風で作動させ閉鎖状態の扉に対応するエアカーテン装置を弱風で作動させる態様、開放状態の扉に対応するエアカーテン装置を通常風で作動させ閉鎖状態の扉に対応するエアカーテン装置は作動させない（風速を０にする）態様、開放状態の扉に対応するエアカーテン装置を弱風で作動させ閉鎖状態の扉に対応するエアカーテン装置は作動させない（風速を０にする）態様、および、エアカーテン装置の両方を作動させない（両方の風速を０にする）態様のいずれかに切り替えられる。なお、第３実施形態のその他の構成は上記第１実施形態の構成と同一であるため、その説明を省略する。
【００８１】
次に、図２、図３および図９を参照して、第３実施形態の冷凍庫側制御部５１による第１エアカーテン装置４０ａおよび第２エアカーテン装置４０ｂの制御フローについて説明する。
【００８２】
図９に示すように、まず、上記第１実施形態のステップＳ１〜Ｓ３と同様に、それぞれ、ステップＳ３１〜Ｓ３３において、冷凍庫側制御部５１（図３参照）により、開閉扉２４（図２参照）の開閉状態が判断される。
【００８３】
ステップＳ３１において第１扉２４ａ（図２参照）が開放状態であると判断され、かつ、ステップＳ３２において第２扉２４ｂ（図２参照）が開放状態であると判断された場合（第１扉２４ａと第２扉２４ｂとの両方が開放状態である場合）、ステップＳ３４において、冷凍庫側制御部５１により、第１エアカーテン装置４０ａおよび第２エアカーテン装置４０ｂ（図２参照）の両方が通常風を吹き出すように作動される。一方、ステップＳ３１において第１扉２４ａが開放状態でないと判断され、かつ、ステップＳ３３において第２扉２４ｂが開放状態でないと判断された場合（第１扉２４ａと第２扉２４ｂとの両方が閉鎖状態である場合）、ステップＳ３５において、第１エアカーテン装置４０ａおよび第２エアカーテン装置４０ｂの両方が作動されない。
【００８４】
そして、ステップＳ３１において第１扉２４ａが開放状態であると判断され、ステップＳ３２において第２扉２４ｂが開放状態でない（閉鎖状態である）と判断された場合、ステップＳ３６において、冷凍庫側制御部５１により、外気温がしきい値温度Ｔ１よりも大きいか否かが判断される。ステップＳ３６において外気温がＴ１よりも大きいと判断された場合、ステップＳ３７において、冷凍庫側制御部５１により、外気温がしきい値温度Ｔ２（＞Ｔ１）よりも大きいか否かが判断される。ステップＳ３７において外気温がＴ２より大きいと判断された場合（外気温が最大（１番目）の温度範囲の場合）、ステップＳ３８において、冷凍庫側制御部５１により、第１エアカーテン装置４０ａおよび第２エアカーテン装置４０ｂの両方が通常風で作動される。ステップＳ３７において外気温がＴ２以下であると判断された場合（外気温がＴ１より大きく、かつ、Ｔ２以下である場合（外気温が２番目に大きい温度範囲の場合））、ステップＳ３９において、冷凍庫側制御部５１により、第１エアカーテン装置４０ａが通常風で作動され、第２エアカーテン装置４０ｂが弱風で作動される。
【００８５】
また、ステップＳ３６において外気温がＴ１以下であると判断された場合、ステップＳ４０において、冷凍庫側制御部５１により、外気温がしきい値温度Ｔ３（＜Ｔ１）よりも大きいか否かが判断される。ステップＳ４０において外気温がＴ３よりも大きいと判断された場合（外気温がＴ３よりも大きく、かつ、Ｔ１以下である場合（外気温が３番目に大きい温度範囲の場合））、ステップＳ４１において、冷凍庫側制御部５１により、第１エアカーテン装置４０ａが通常風で作動される一方、第２エアカーテン装置４０ｂは作動されない（風速０に制御される）。また、ステップＳ４０において外気温がＴ３以下であると判断された場合、ステップＳ４２において、冷凍庫側制御部５１により、外気温がしきい値温度Ｔ４（＜Ｔ３）よりも大きいか否かが判断される。ステップＳ４２において外気温がＴ４よりも大きいと判断された場合（外気温がＴ４よりも大きく、かつ、Ｔ３以下である場合（外気温が４番目に大きい温度範囲の場合））、ステップＳ４３において、冷凍庫側制御部５１により、第１エアカーテン装置４０ａが弱風で作動される一方、第２エアカーテン装置４０ｂは作動されない（風速０に制御される）。そして、ステップＳ４２において外気温がＴ４以下であると判断された場合（外気温が最小（５番目）の温度範囲の場合）、ステップＳ４４において、冷凍庫側制御部５１により、第１エアカーテン装置４０ａおよび第２エアカーテン装置４０ｂの両方が作動されない（両方が風速０に制御される）。
【００８６】
また、ステップＳ３１において第１扉２４ａが開放状態でない（閉鎖状態である）と判断され、ステップＳ３３において第２扉２４ｂが開放状態であると判断された場合、ステップＳ４５において、冷凍庫側制御部５１により、外気温がＴ１よりも大きいか否かが判断される。ステップＳ４５において外気温がＴ１よりも大きいと判断された場合、ステップＳ４６において、冷凍庫側制御部５１により、外気温がＴ２（＞Ｔ１）よりも大きいか否かが判断される。ステップＳ４６において外気温がＴ２より大きいと判断された場合（外気温が最大（１番目）の温度範囲の場合）、ステップＳ４７において、冷凍庫側制御部５１により、第２エアカーテン装置４０ｂおよび第１エアカーテン装置４０ａの両方が通常風で作動される。ステップＳ４６において外気温がＴ２以下であると判断された場合（外気温がＴ１より大きく、かつ、Ｔ２以下である場合（外気温が２番目に大きい温度範囲の場合））、ステップＳ４８において、冷凍庫側制御部５１により、第２エアカーテン装置４０ｂが通常風で作動され、第１エアカーテン装置４０ａが弱風で作動される。
【００８７】
また、ステップＳ４５において外気温がＴ１以下であると判断された場合、ステップＳ４９において、冷凍庫側制御部５１により、外気温がＴ３（＜Ｔ１）よりも大きいか否かが判断される。ステップＳ４９において外気温がＴ３よりも大きいと判断された場合（外気温がＴ３よりも大きく、かつ、Ｔ１以下である場合（外気温が３番目に大きい温度範囲の場合））、ステップＳ５０において、冷凍庫側制御部５１により、第２エアカーテン装置４０ｂが通常風で作動される一方、第１エアカーテン装置４０ａは作動されない（風速０に制御される）。また、ステップＳ４９において外気温がＴ３以下であると判断された場合、ステップＳ５１において、冷凍庫側制御部５１により、外気温がＴ４（＜Ｔ３）よりも大きいか否かが判断される。ステップＳ５１において外気温がＴ４よりも大きいと判断された場合（外気温がＴ４よりも大きく、かつ、Ｔ３以下である場合（外気温が４番目に大きい温度範囲の場合））、ステップＳ５２において、冷凍庫側制御部５１により、第２エアカーテン装置４０ｂが弱風で作動される一方、第１エアカーテン装置４０ａは作動されない（風速０に制御される）。そして、ステップＳ５１において外気温がＴ４以下であると判断された場合（外気温が最小（５番目）の温度範囲の場合）、ステップＳ５３において、冷凍庫側制御部５１により、第２エアカーテン装置４０ｂおよび第１エアカーテン装置４０ａの両方が作動されない（両方が風速０に制御される）。
【００８８】
なお、第３実施形態では、ステップＳ３４、Ｓ３５、Ｓ３８、Ｓ３９、Ｓ４１、Ｓ４３、Ｓ４４、Ｓ４７、Ｓ４８、Ｓ５０、Ｓ５２またはＳ５３の処理後、ステップＳ３１からの制御処理が繰り返し実行される。
【００８９】
第３実施形態では、上記のように、第１扉２４ａまたは第２扉２４ｂの一方のみが開放状態である場合において、第１エアカーテン装置４０ａまたは第２エアカーテン装置４０ｂの一方のみを作動させる場合、および、第１エアカーテン装置４０ａおよび第２エアカーテン装置４０ｂの両方を作動させる場合に、それぞれ、外気温に応じて、第１エアカーテン装置４０ａまたは第２エアカーテン装置４０ｂの風速を変更する制御を行うように構成することによって、外気温が比較的低い場合（Ｔ２以下である場合）に風速を通常よりも小さくすることができるので、消費電力をより低減することができる。また、外気温が最も低い場合（Ｔ４以下の場合）に、第１エアカーテン装置４０ａおよび第２エアカーテン装置４０ｂの両方を作動させない（両方の風速を０にする）ようにすることができるので、消費電力をさらに低減することができる。なお、第３実施形態のその他の効果は、上記第１実施形態と同様である。
【００９０】
（第３実施形態の変形例）
次に、図２、図３および図１０を参照して、第３実施形態の変形例について説明する。この第３実施形態の変形例では、上記第３実施形態における外気温に代えて、外気温と庫内温度との温度差（内外温度差）に基づいてエアカーテン装置の風速を変更する例について説明する。
【００９１】
第３実施形態の変形例では、第１扉２４ａまたは第２扉２４ｂの一方のみが開放状態である場合において、第１エアカーテン装置４０ａまたは第２エアカーテン装置４０ｂ（図２参照）の一方のみを作動させる場合、および、第１エアカーテン装置４０ａおよび第２エアカーテン装置４０ｂの両方を作動させる場合に、それぞれ、外気温と庫内温度との温度差（内外温度差）に応じて、第１エアカーテン装置４０ａまたは第２エアカーテン装置４０ｂの風速を変更する制御を行うように構成されている。具体的には、一方の扉のみが開放状態である場合において、冷凍庫側制御部５１（図３参照）により、内外温度差に応じて、上記第３実施形態と同様に、５段階に、第１エアカーテン装置４０ａまたは第２エアカーテン装置４０ｂの作動態様（風速）が切り替えられる。なお、第３実施形態の変形例のその他の構成は上記第３実施形態の構成と同一であるため、その説明を省略する。
【００９２】
以下、図２、図３および図１０を参照して、第３実施形態の変形例の冷凍庫側制御部５１による第１エアカーテン装置４０ａおよび第２エアカーテン装置４０ｂの制御フローについて説明する。
【００９３】
図１０に示すように、まず、ステップＳ３１〜Ｓ３５の制御は、上記第３実施形態と同様であるので、その説明は省略する。そして、ステップＳ３１において第１扉２４ａ（図２参照）が開放状態であると判断され、ステップＳ３２において第２扉２４ｂ（図２参照）が開放状態でない（閉鎖状態である）と判断された場合、ステップＳ３６ａにおいて、冷凍庫側制御部５１（図３参照）により、内外温度差がしきい値温度差Δｔ１よりも大きいか否かが判断される。ステップＳ３６ａにおいて内外温度差がΔｔ１よりも大きいと判断された場合、ステップＳ３７ａにおいて、冷凍庫側制御部５１により、内外温度差がしきい値温度差Δｔ２（＞Δｔ１）よりも大きいか否かが判断される。ステップＳ３７ａにおいて内外温度差がΔｔ２より大きいと判断された場合（内外温度差が最大（１番目）の範囲の場合）、ステップＳ３８において、冷凍庫側制御部５１により、第１エアカーテン装置４０ａおよび第２エアカーテン装置４０ｂ（図２参照）の両方が通常風で作動される。ステップＳ３７ａにおいて内外温度差がΔｔ２以下であると判断された場合（内外温度差がΔｔ１より大きく、かつ、Δｔ２以下である場合（内外温度差が２番目に大きい範囲の場合））、ステップＳ３９において、冷凍庫側制御部５１により、第１エアカーテン装置４０ａが通常風で作動され、第２エアカーテン装置４０ｂが弱風で作動される。
【００９４】
また、ステップＳ３６ａにおいて内外温度差がΔｔ１以下であると判断された場合、ステップＳ４０ａにおいて、冷凍庫側制御部５１により、内外温度差がしきい値温度差Δｔ３（＜Δｔ１）よりも大きいか否かが判断される。ステップＳ４０ａにおいて内外温度差がΔｔ３よりも大きいと判断された場合（内外温度差がΔｔ３よりも大きく、かつ、Δｔ１以下である場合（内外温度差が３番目に大きい範囲の場合））、ステップＳ４１において、冷凍庫側制御部５１により、第１エアカーテン装置４０ａが通常風で作動される一方、第２エアカーテン装置４０ｂは作動されない（風速０に制御される）。また、ステップＳ４０ａにおいて内外温度差がΔｔ３以下であると判断された場合、ステップＳ４２ａにおいて、冷凍庫側制御部５１により、内外温度差がしきい値温度差Δｔ４（＜Δｔ３）よりも大きいか否かが判断される。ステップＳ４２ａにおいて内外温度差がΔｔ４よりも大きいと判断された場合（内外温度差がΔｔ４よりも大きく、かつ、Δｔ３以下である場合（内外温度差が４番目に大きい範囲の場合））、ステップＳ４３において、冷凍庫側制御部５１により、第１エアカーテン装置４０ａが弱風で作動される一方、第２エアカーテン装置４０ｂは作動されない（風速０に制御される）。そして、ステップＳ４２ａにおいて内外温度差がΔｔ４以下であると判断された場合（内外温度差が最小（５番目）の範囲の場合）、ステップＳ４４において、冷凍庫側制御部５１により、第１エアカーテン装置４０ａおよび第２エアカーテン装置４０ｂの両方が作動されない（両方が風速０に制御される）。
【００９５】
また、ステップＳ３１において第１扉２４ａが開放状態でない（閉鎖状態である）と判断され、ステップＳ３３において第２扉２４ｂが開放状態であると判断された場合、ステップＳ４５ａにおいて、冷凍庫側制御部５１により、内外温度差がΔｔ１よりも大きいか否かが判断される。ステップＳ４５ａにおいて内外温度差がΔｔ１よりも大きいと判断された場合、ステップＳ４６ａにおいて、冷凍庫側制御部５１により、内外温度差がΔｔ２（＞Δｔ１）よりも大きいか否かが判断される。ステップＳ４６ａにおいて内外温度差がΔｔ２より大きいと判断された場合（内外温度差が最大（１番目）の範囲の場合）、ステップＳ４７において、冷凍庫側制御部５１により、第２エアカーテン装置４０ｂおよび第１エアカーテン装置４０ａの両方が通常風で作動される。ステップＳ４６ａにおいて内外温度差がΔｔ２以下であると判断された場合（内外温度差がΔｔ１より大きく、かつ、Δｔ２以下である場合（内外温度差が２番目に大きい範囲の場合））、ステップＳ４８において、冷凍庫側制御部５１により、第２エアカーテン装置４０ｂが通常風で作動され、第１エアカーテン装置４０ａが弱風で作動される。
【００９６】
また、ステップＳ４５ａにおいて内外温度差がΔｔ１以下であると判断された場合、ステップＳ４９ａにおいて、冷凍庫側制御部５１により、内外温度差がΔｔ３（＜Δｔ１）よりも大きいか否かが判断される。ステップＳ４９ａにおいて内外温度差がΔｔ３よりも大きいと判断された場合（内外温度差がΔｔ３よりも大きく、かつ、Δｔ１以下である場合（内外温度差が３番目に大きい範囲の場合））、ステップＳ５０において、冷凍庫側制御部５１により、第２エアカーテン装置４０ｂが通常風で作動される一方、第１エアカーテン装置４０ａは作動されない（風速０に制御される）。また、ステップＳ４９ａにおいて内外温度差がΔｔ３以下であると判断された場合、ステップＳ５１ａにおいて、冷凍庫側制御部５１により、内外温度差がΔｔ４（＜Δｔ３）よりも大きいか否かが判断される。ステップＳ５１ａにおいて内外温度差がΔｔ４よりも大きいと判断された場合（内外温度差がΔｔ４よりも大きく、かつ、Δｔ３以下である場合（内外温度差が４番目に大きい範囲の場合））、ステップＳ５２において、冷凍庫側制御部５１により、第２エアカーテン装置４０ｂが弱風で作動される一方、第１エアカーテン装置４０ａは作動されない（風速０に制御される）。そして、ステップＳ５１ａにおいて内外温度差がΔｔ４以下であると判断された場合（内外温度差が最小（５番目）の範囲の場合）、ステップＳ５３において、冷凍庫側制御部５１により、第２エアカーテン装置４０ｂおよび第１エアカーテン装置４０ａの両方が作動されない（両方が風速０に制御される）。なお、第３実施形態の変形例のその他の制御フローは、上記第３実施形態の制御フローと同様であるため、その説明を省略する。
【００９７】
第３実施形態の変形例では、上記のように、第１扉２４ａまたは第２扉２４ｂの一方のみが開放状態である場合において、第１エアカーテン装置４０ａまたは第２エアカーテン装置４０ｂの一方のみを作動させる場合、および、第１エアカーテン装置４０ａおよび第２エアカーテン装置４０ｂの両方を作動させる場合に、それぞれ、外気温と冷凍庫２０の庫内温度との温度差に応じて、第１エアカーテン装置４０ａまたは第２エアカーテン装置４０ｂの風速を変更する制御を行うように構成することによって、外気温のみを考慮する第３実施形態の場合に比べて、第１エアカーテン装置４０ａまたは第２エアカーテン装置４０ｂの風速を変更するか否かについての冷凍庫側制御部５１による判断をより的確に行うことができる。なお、第３実施形態の変形例のその他の効果は、上記第３実施形態と同様である。
【００９８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９９】
たとえば、上記第１〜第３実施形態、第２実施形態の第１および第２変形例、および、第３実施形態の変形例では、本発明の第１エアカーテン発生部としての第１エアカーテン装置４０ａと、第２エアカーテン発生部としての第２エアカーテン装置４０ｂとを別個に設けた例について示したが、本発明はこれに限られない。たとえば、第１エアカーテン装置４０ａおよび第２エアカーテン装置４０ｂに代えて、１つの筐体に１つの送風機が内蔵されるとともに、第１扉に対応する部分および第２扉に対応する部分に、それぞれ、第１エアカーテン発生部および第２エアカーテン発生部としての２つの吹出口を有する１つのエアカーテン装置を用いてもよい。この際、冷凍庫側制御部により、第１扉および第２扉の開閉状態に合わせて、２つの吹出口の各々の開閉動作を個別に制御することにより、第１エアカーテン装置４０ａと第２エアカーテン装置４０ｂとを個々に設けた場合と同様の機能を得ることができる。また、第１エアカーテン装置４０ａおよび第２エアカーテン装置４０ｂに代えて、１つの筐体に２つの送風機が内蔵されるとともに、２つの吹出口を有する１つのエアカーテン装置を用いてもよい。この場合、１つの筐体内の２つの送風機を個別に制御することにより、第１エアカーテン装置４０ａと第２エアカーテン装置４０ｂとを個々に設けた場合と同様の機能を得ることができる。
【０１００】
また、上記第１〜第３実施形態、第２実施形態の第１および第２変形例、および、第３実施形態の変形例では、開閉扉２４を第１扉２４ａおよび第２扉２４ｂの２つの扉により構成するとともに、第１扉２４ａおよび第２扉２４ｂにそれぞれ対応する第１エアカーテン装置４０ａおよび第２エアカーテン装置４０ｂの２つのエアカーテン装置を設けた例について示したが、本発明はこれに限られない。たとえば、図１１に示す上記各実施形態の変形例のように、冷凍車２００に設けられた開閉扉２２４を、第１扉２２４ａ、第２扉２２４ｂおよび第３扉２２４ｃの３つの扉により構成するとともに、第１扉２２４ａ、第２扉２２４ｂおよび第３扉２２４ｃにそれぞれ対応する第１エアカーテン装置２４０ａ、第２エアカーテン装置２４０ｂおよび第３エアカーテン装置２４０ｃを設けてもよい。この際、第１扉２２４ａ、第２扉２２４ｂおよび第３扉２２４ｃの開閉状態をそれぞれ検知する第１扉開閉検知センサ２７２ａ、第２扉開閉検知センサ２７２ｂおよび第３扉開閉検知センサ２７２ｃを設けることが好ましい。この場合、３つの扉のうちの１つまたは２つの扉が開放された場合に、開放された１つまたは２つの扉に対応するエアカーテン装置のみを作動させるように構成するか、または、外気温や外気温と庫内温度との温度差（内外温度差）を考慮して、３つのエアカーテン装置の作動状態（風速）を制御するように構成すればよい。さらに、開閉扉は、２つまたは３つの扉ではなく、４つ以上の扉により構成してもよい。
【０１０１】
また、上記第１〜第３実施形態、第２実施形態の第１および第２変形例、および、第３実施形態の変形例では、２つの扉に対して同じ数（２つ）のエアカーテン装置（エアカーテン発生部）を設けた例について示したが、本発明はこれに限られない。本発明では、３つ以上の扉に対して扉の数と異なる複数のエアカーテン装置（エアカーテン発生部）を設けてもよい。たとえば、３つの扉（第１〜第３扉）に対して２つのエアカーテン装置（第１および第２エアカーテン装置）を設け、第１扉に対して第１エアカーテン装置を対応させ、第２扉および第３扉に対して第２エアカーテン装置を対応させて、上記各実施形態の構成に従って各エアカーテン装置を作動させるようにしてもよい。
【０１０２】
また、上記第１〜第３実施形態、第２実施形態の第１および第２変形例、および、第３実施形態の変形例では、冷凍庫２０の開口部２０ｂが後部に設けられた例について示したが、本発明はこれに限られない。本発明では、開口部の位置は冷凍庫の後部に限られず、たとえば、冷凍庫の側壁部に設けてもよい。
【０１０３】
また、上記第１〜第３実施形態、第２実施形態の第１および第２変形例、および、第３実施形態の変形例の全てにおいて、共通して、冷凍庫２０内の空気温度（庫内温度）を検出する冷凍庫内温度センサ７１と、外気温を検出する外気温センサ７３とが設けられた例について示したが、本発明はこれに限られない。本発明では、上記第１実施形態のように外気温および庫内温度を考慮しない場合には、エアカーテン装置の作動制御のための冷凍庫内温度センサおよび外気温センサを設けなくてもよい。また、上記第２実施形態、第３実施形態および第２実施形態の第２変形例のように庫内温度を考慮しない場合には、エアカーテン装置の作動制御のための冷凍庫内温度センサを設けなくてもよい。
【０１０４】
また、上記第３実施形態および第３実施形態の変形例では、第１扉２４ａと第２扉２４ｂとの両方が開放状態である場合には、外気温や内外温度差を考慮せずに、第１エアカーテン装置４０ａおよび第２エアカーテン装置４０ｂの両方を通常風を吹き出すように作動させた例について示したが、本発明はこれに限られない。本発明では、第１扉と第２扉との両方が開放状態である場合であっても、外気温や内外温度差に応じて、第１エアカーテン装置および第２エアカーテン装置の両方の風速を変更してもよい。たとえば、外気温が所定のしきい値温度、または、内外温度差が所定のしきい値温度差より大きい場合には、第１エアカーテン装置および第２エアカーテン装置の両方を通常風を吹き出すように作動させ、外気温が所定のしきい値温度、または、内外温度差が所定のしきい値温度差以下の場合には、第１エアカーテン装置および第２エアカーテン装置の両方を弱風を吹き出すように作動させるように構成してもよい。
【０１０５】
また、上記第３実施形態および第３実施形態の変形例では、第１エアカーテン装置４０ａおよび第２エアカーテン装置４０ｂを、通常風と弱風との２段階の風速の間で切替可能であるように構成した例について示したが、本発明はこれに限られない。本発明では、第１エアカーテン装置および第２エアカーテン装置から吹き出される風の風速を通常風および弱風だけでなく、通常風および弱風とは異なる風速にも変更可能なように構成してもよい。
【０１０６】
また、上記第１〜第３実施形態、第２実施形態の第１および第２変形例、および、第３実施形態の変形例では、第１扉開閉検知センサ７２ａおよび第２扉開閉検知センサ７２ｂが、第１扉２４ａに押圧されるスイッチ部１７２ａおよび第２扉２４ｂに押圧されるスイッチ部１７２ｂをそれぞれ有する機械式のセンサからなる例について示したが、本発明はこれに限られない。本発明では、第１および第２扉開閉検知センサは、対応する扉の開放状態を検知可能であれば、光学式センサや磁気式センサなどの機械式センサ以外のセンサから構成されていてもよい。
【０１０７】
また、上記第１〜第３実施形態、第２実施形態の第１および第２変形例、および、第３実施形態の変形例では、説明の便宜上、冷凍庫側制御部５１の第１エアカーテン装置４０ａおよび第２エアカーテン装置４０ｂの運転に関する制御処理を制御フローに沿って順番に処理を行うフロー駆動型のフローチャートを用いて説明したが、本発明はこれに限られない。本発明では、冷凍庫側制御部５１の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０８】
１０  車両本体（車両）
２０  冷凍庫（収納庫）
２０ｂ  開口部
２４、２２４  開閉扉
２４ａ  第１扉（第１開閉扉）
２４ｂ  第２扉（第２開閉扉）
３０  冷却ユニット
４０ａ  第１エアカーテン装置（第１エアカーテン発生部）
４０ｂ  第２エアカーテン装置（第２エアカーテン発生部）
５１  冷凍庫側制御部（制御手段）
７２ａ  第１扉開閉検知センサ（第１扉開閉検知部）
７２ｂ  第２扉開閉検知センサ（第２扉開閉検知部）
７３  外気温センサ
１００、２００  冷凍車
Ｔ１  しきい値温度
Δｔ１  しきい値温度差
【図１】
2014081128.tif 000003
【図２】
2014081128.tif 000004
【図３】
2014081128.tif 000005
【図４】
2014081128.tif 000006
【図５】
2014081128.tif 000007
【図６】
2014081128.tif 000008
【図７】
2014081128.tif 000009
【図８】
2014081128.tif 000010
【図９】
2014081128.tif 000011
【図１０】
2014081128.tif 000012
【図１１】
2014081128.tif 000013